(57)【要約】通話設定または通話ハンドオフを実行中の逆リンクにおけるロング・コード・マスク衝突を検出できるセルラー通信システムは、干渉および通話切断を回避するために、重複する通話の１つに対する逆リンクに対して異なるキャリアを割り当てる（１２０）ための手段を備える。
2009519631.tif 000002
【特許請求の範囲】
【請求項１】
無線通信ネットワークの２人のユーザ間の干渉を緩和するための方法であって、
前記ネットワークの電気通信セルにおける第１のユーザの第１の一意な識別子を検出するステップと、
前記セルにおける第２のユーザの第２の一意な識別子を検出するステップと、
前記第１の一意な識別子および前記第２の一意な識別子がマッチングするか否かを判定するステップと、
前記第２のユーザの少なくとも１つのチャンネルを、前記第１のユーザに割り当てたキャリアとは異なるキャリアに割り当てるステップと
を備える方法。
【請求項２】
前記電気通信ネットワークは符号分割多元接続（ＣＤＭＡ）を含む、請求項１に記載の方法。
【請求項３】
前記チャンネルは逆リンクである、請求項２に記載の方法。
【請求項４】
前記第１の一意な識別子がロング・コード・マスクを決定する、請求項３に記載の方法。
【請求項５】
前記第１の一意な識別子にはロング・コード・マスクが含まれる、請求項４に記載の方法。
【請求項６】
前記第１の一意な識別子には電子シリアル番号（ＥＳＮ）が含まれる、請求項４に記載の方法。
【請求項７】
前記第１の一意な識別子はモバイル装置識別番号（ＭＥＩＤ）から導出される、請求項４に記載の方法。
【請求項８】
前記第１の一意な識別子は擬似ＥＳＮである、請求項７に記載の方法。
【請求項９】
第２の一意な識別子を検出する前記ステップには、前記第２のユーザに対する通話設定の間に前記第２の一意な識別子を検出することが含まれる、請求項１に記載の方法。
【請求項１０】
第２の一意な識別子を検出する前記ステップには、前記第２のユーザに対する通話ハンドオフの間に前記第２の一意な識別子を検出することが含まれる、請求項１に記載の方法。
【請求項１１】
処理プラットフォームを備える符号分割多元接続（ＣＤＭＡ）無線通信装置であって、
セルラー・ネットワークにおけるセルにアクセスする第１の無線局が、前記セルにおいてサービスされる第２の無線局に合致する一意な識別子を有するか否かを判定すること、
前記一意な識別子が第２の無線局と合致すると判定することに応答して、前記第１の無線局に対する少なくとも１つのチャンネルを、前記第２の無線局のキャリアとは異なるキャリアに割り当てること
を行なうように構成および配置される処理プラットフォームを備える、無線通信装置。
【請求項１２】
前記チャンネルは逆リンク・チャンネルである、請求項１１に記載の装置。
【請求項１３】
前記一意な識別子がロング・コード・マスクを決定する、請求項１２に記載の装置。
【請求項１４】
前記第１の一意な識別子はモバイル装置識別番号（ＭＥＩＤ）から導出される、請求項１３に記載の装置。
【請求項１５】
前記処理プラットフォームが、
前記セルにおいてサービスされている無線局の前記一意な識別子を記憶するためのデータ・ストアと、
前記第１の無線局から受信される一意な識別子と前記データ・ストアに記憶される前記第２の無線局の一意な識別子とが合致していることを判定するための手段と
を含む、請求項１１に記載の装置。
【請求項１６】
一意な識別子が第２の無線局の一意な識別子にマッチングするという判定に応答して、前記処理プラットフォームが、前記第１の無線局に対するチャンネルを前記第２の無線局のキャリアとは異なるキャリアに割り当てるための手段をさらに備える、請求項１５に記載の装置。
【請求項１７】
処理プラットフォームが、前記第１の無線局に対する前記セル内への通話ハンドオフの間の合致が生じるか否かを判定するようにさらに構成および配置される、請求項１１に記載の装置。
【請求項１８】
符号分割多元接続（ＣＤＭＡ）移動通信ネットワークで用いる移動局であって、
セルラー基地局から、移動局が前記ネットワークにおけるセル内において重複する識別子を有するという表示を受信するための手段と、
受信手段が前記表示を受信することに応答して、前記セル内において代替的なキャリアを選択することを容易にするための手段と
を備える、移動局。
【請求項１９】
代替的なキャリアの選択を容易にするための前記手段が、前記基地局が割り当てる当初のキャリアから、前記基地局が割り当てる代替的なキャリアへの切替を開始するように配置される、請求項１８に記載の移動局。
【請求項２０】
前記当初のキャリアと前記代替的なキャリアとは逆リンク・チャンネルを搬送する、請求項１９に記載の装置。
【発明の詳細な説明】
【技術分野】
【０００１】
本発明は、無線通信システムに関し、より詳細には、符号分割多元接続（ＣＤＭＡ）技術に基づいた携帯電話システムに関する。
【背景技術】
【０００２】
ＣＤＭＡ無線通信ネットワークでは、加入者トラフィックは、各加入者に固有の拡散コードを用いて区別される。さらに、異なるコードを用いて、順方向リンク・チャンネル（基地局から加入者ユニットへ）と逆リンク・チャンネルとを区別している。さらに逆リンク・チャンネルは通常、異なるキャリア上で広がっている。順方向リンク・コード（たとえば、ウォルシュ・コード）は通常、通話設定時に基地局によって割り当てられるが、逆リンクは、「ロング・コード」と呼ばれる擬似ランダム・コードの関数として生成された後、各加入者ユニットに固有のロング・コード・マスクによってマスキングされて、通常は、加入者デバイスの何らかの一意な識別子の関数として生成される。
【０００３】
移動通信環境における個々のデバイスは長年、電子シリアル番号（ＥＳＮ）と呼ばれる３２ビット・コードによって識別されてきた。このコードの３２ビット長によって、４０億を少し超える数の一意な識別子が可能である。ＥＳＮを用いることで、通信（場合によっては情報セキュリティ）に対するネットワーク環境においてデバイスが一意に識別される。コーディング・システムが導入されたときに、これは、予測できる将来の目的に対しては十分な数の一意なＩＤであると考えられた。それらを用いるセルラー・ネットワークおよびデバイスが爆発的に成長したこと、およびＥＳＮのブロックが供給業者に惜しみなく割当てられたことに加えて、未使用のＥＳＮの回収が緩慢であることが原因で、ＥＳＮの供給はすぐに無くなるであろう。５６ビットを提供するモバイル装置識別番号（ＭＥＩＤ）のような新しいデバイス識別子が開発されており、より実質的に一意なコードが実現される。このような新しい識別子システムを、設置されたネットワーク全体で実施するにはある程度の時間を要するため、しばらくの間は、古いＥＳＮベースのシステムおよび新しい識別子のシステムの両方をサポートする必要がある。たとえば、新しい方のセルラー・デバイスには、ＭＥＩＤはあるがＥＳＮはないのに、ＥＳＮベースのセルラー・ネットワークで用いるならば、そのデバイスに対する一時的なＥＳＮを実現するための技術を用いなければならない。現在のところ、たとえば、ＭＥＩＤをハッシュ関数で用いて、疑似ＥＳＮまたはｐＥＳＮと呼ばれる有効なフォーマットを伴う一時的なＥＳＮを形成している。
【０００４】
しかし、結果として、重複するＥＳＮが、ある特定のセルラー・ネットワークにおいて同じキャリア上で現れる可能性がある。ｐＥＳＮは特に、ロング・コード・マスクを生成するために使用される。そのため、この結果として、少なくともユーザ間でのクロス・トークおよび干渉、極端には通話切断が起きる可能性がある。逆方向チャンネルのトラフィックは特に影響を受ける。なぜならば、２人の加入者からの逆方向チャンネルの区別は、ロング・コード・マスクのみに基づいているからである。より一般的に、さらなる状況として、２人のサービス加入者のロング・コード・マスクが同一であるという状況に進展することもあり得る。必要なのは、セルラー・ネットワーク・システムにおける重複するＥＳＮに、もっと広く言えば、重複するロング・コード・マスクに、それらが生じたときに、セルラー・デバイス・ユーザに対する外乱を最小に抑えた状態で対応する方法である。
【発明を実施するための最良の形態】
【０００５】
本発明の複数の実施形態によって、重複するロング・コード・マスクの適切な取り扱いが提供される。重複するロング・コード・マスクは、たとえば移動通信環境における重複する電子シリアル番号（ＥＳＮ）または疑似ＥＳＮから生成される場合がある。重複は本来、顧客に互いのやり取りが聞こえるか、または通話がネットワークによって切断されるという結果にさえ進展し、セル顧客に対して不便さが伴うことになる。したがって、本発明の複数の実施形態では、重複するロング・コード・マスクが検出されると、検出された重複のうちの１つを代替的なキャリア（利用可能であれば）に割り当てる。こうして、通信干渉または通話切断が起こる可能性が、マルチ・キャリア環境において軽減される。
【０００６】
本発明の一実施形態によれば、新しい通話の設定が無線電気通信セルにおいて、たとえば移動局に対してなされたときに、そのロング・コード・マスクまたはＥＳＮが、現在通話中の移動局のそれと重複していた場合、基地局はその新しい通話を、少なくとも既存の通話の逆リンクのキャリアとは別個の逆リンク・キャリアに割り当てる。こうして、新しい通話のロング・コード・マスクによって、既存の通話との間でわずかな干渉が起きることもない。これは、既存の通話および新しい通話が、同じロング・コード・マスクを用いている場合（たとえばＥＳＮが重複しているために）であっても成り立つ。
【０００７】
本発明の別の実施形態によれば、現在の通話を別のセルからハンドオフすることが、現在のセルに要求された場合、ハンドオフしている移動局のロング・コード・マスクまたはＥＳＮを受信したときに、それが、現在のセルにおいてすでに通話中の別の移動局のロング・コード・マスクまたはＥＳＮと重複するか否かを判定し、そうである場合には、ハンドオフしている移動局を、少なくとも現在のセルにおける既存の通話の逆リンクに対するキャリアとは別個の逆リンク・キャリアに割り当てる。
【０００８】
図１を参照して、本発明の実施形態による方法を示す。新しい通話設定１００または通話ハンドオフ１０５には、通話が取り扱われている移動局の基地局においてＥＳＮを受信するステップ１１０が含まれる。ＥＳＮは、たとえば移動局からのアクセス・メッセージの一部として受信することができる。ステップ１１５において、ステップ１１０で受信されたＥＳＮが、基地局が取り扱っている通話にすでに入っている移動局のＥＳＮとマッチングするか否かが判定される。受信したＥＳＮが既存の通話のＥＳＮとマッチングする場合には、ハンドオフまたは新しい通話の逆リンクに対してキャリアを割り当てる。このキャリアは、既存の通話の逆リンクが割り当てられたキャリアとは別個のものである。ＥＳＮがマッチングしない場合には、ハンドオフまたは新しい通話の逆リンク・キャリアを、いつものように割り当てることを、たとえば、他のどの通話の逆リンク・キャリアにも特に構わずに行なう。
【０００９】
本明細書では一例として移動局について説明しているが、どんな無線端末局であっても（モバイルであろうとなかろうと）、たとえば重複するＥＳＮを用いる他のステーションによって重複される場合があるロング・コード・マスクを用いるものには、本発明の複数の実施形態による別個の逆リンク・キャリアの割当てを施しても良いことを理解されたい。無線端末局として、本発明の複数の実施形態において使用可能なものには、携帯電話、無線ネットワーキング・ハードウェアを有するラップトップ・コンピュータ、無線接続性を伴う携帯情報端末、自動車に搭載される無線通信デバイスなどが含まれる。さらに、ステップ１１５で行なう重複するＥＳＮのテストはまた、セル内でサービスされている移動局のロング・コード・マスクについて直接行なっても良いし、ロング・コード・マスクを生成するために用いられる他の識別子について行なっても良いことを理解されたい。たとえば、移動局のＥＳＮを受信しても良く、受信したら、ＥＳＮを基地局で用いてロング・コード・マスクを生成し、そのロング・コード・マスクを移動局が用いて、その逆リンクをエンコードする。そしてＥＳＮ同士を比較するのではなく、ロング・コード・マスクを重複に対して比較することが意図されている。あるいは、ロング・コード・マスク自体を、移動局から基地局が、たとえばアクセス・メッセージの一部として受信しても良い。そして、サービスされている他の移動局のロング・コード・マスクと比較する。この場合、ＥＳＮを受信する必要はない。本発明の複数の実施形態によるさらに別の例として、移動局のＭＥＩＤを基地局に送信しても良い。そして、移動局のＭＥＩＤを用いて、ＭＥＩＤに対応するｐＥＳＮまたはロング・コード・マスクを生成する。その後、そのｐＥＳＮまたはロング・コード・マスクを、セル内での重複に対してチェックすることができる。
【００１０】
図２を参照して、本発明の実施形態による無線通信ネットワークには、基地局２００が含まれる。基地局２００は、移動局２１０へのまたは移動局２１０からのアクセスに対する要求を管理するモジュール２０５を備える。基地局２００には、基地局２００がサービスするセルにおいて現在通話中の移動局に割り当てられる少なくとも逆リンク・チャンネル・キャリアに関係する情報を記憶するためのデータ・ストア２１５が更に含まれる。サービスされている通話に関する情報には一般的に、順方向のリンク・キャリア割当て、コール・ルーティング情報、セル・マネージメント情報、コード、移動局識別子などが含まれる。基地局２００は、移動局２１０から識別子情報を受信するために配置されている。識別子情報は、アクセス・モジュール２０５にとって利用可能となる。アクセス・モジュール２０５は、サービスされている他の移動局に関係するデータ・ストア２１５内の識別子情報を調べて、移動局２１５からの識別子情報と比較するために、配置されている。重複するＥＳＮまたはロング・コード・マスクまたは他の関連する識別子が見出された場合、基地局は、別個の逆リンク・キャリアを移動局２１０に割り当てて、他の移動局の逆リンクとの干渉を回避するようにする。
【００１１】
本発明の多くの実施形態において、ＣＤＭＡネットワークの無線通信セルにおける基地局は、個別コンポーネント電気回路、集積回路、特定用途向け集積回路（ＡＳＩＣ）、および／または本明細書に記載したステップを実行するためのプログラム・コードを実行する、１つまたは複数のコンピュータを備えている。本明細書に記載したステップには、通話ハンドオフまたは新しい通話が設定されている移動局のＥＳＮまたはロング・コード・マスクを、そのセルにおいて現在通話中の他の移動局に対して登録済みのＥＳＮまたはロング・コード・マスクと比較することと、マッチングがあるか否かを判定することとが含まれる。基地局はさらに、移動局に対して、重複するＥＳＮまたはロング・コード・マスクを有する他の任意の移動局のキャリアとは異なる逆リンク・キャリアを割り当てること、移動局と再び通信して、逆リンク用のその別個のキャリアを用いるように命令することを行なうように構成されている。いずれの場合でも、移動局は、何らかの逆リンク・キャリアに割り当てられることが予想されるため、この場合、移動局はこの特定の状況に応答するための特別な回路またはプログラム・コードを有する必要はない。
【００１２】
基地局２００のデータ・ストア２１５は、レジスタまたは集積回路におけるレジスタの組、コンピューティング環境における動的なメモリ、静的な電子メモリ、または磁気的な記憶装置（たとえば従来のコンピュータ記憶ディスク）を含む、電気通信環境において情報を記憶するための任意の種々の手段である。データ・ストアは、本発明の特定の実施形態のみに関連する情報を記憶することに専念することも、本発明の実施形態に関連する情報を含むすべての種類の無線チャンネル管理情報に対して用いられる基地局の一般的なメモリ記憶とすることもできる。
【００１３】
アクセス・モジュール２０５は、モジュールの機能をハードウェアで実行するように専用にデザインされた個別コンポーネントから構成される専用回路、またはこれらの機能を実行するようにプログラム的に構成された一般的なコンピューティング・ハードウェア回路を含む、コンピューティング・タスクを行なうのに有用な任意の種々の手段である。なお前記プログラムは、集積回路のレジスタ内のマイクロコード命令セット、フラッシュ・メモリに焼き付けられるかもしくは他の静的なメモリに記憶される命令セット、または動的なメモリ内の命令セットのいずれにもすることができる。さらに、アクセス・モジュール２０５は、本発明の特定の実施形態に関連する潜在的に干渉するロング・コード・マスクをもたらすマッチングの存在を判定するための専用の機能を有するモジュールとすることも、通話管理に関係するさらに大きい範囲の機能（このようなマッチングの存在を判定することを含む）を有するモジュールとすることもできる。したがって、たとえば一方で、潜在的にチャンネル（たとえば逆リンク）上での干渉をもたらす無線端末局識別子またはロング・コード・マスクのマッチングの存在を判定するための機能を含む基地局全体のコンピュータ・オペレーティング・システムとすることもできるし、他方で、このようなマッチングを判定するために特別にデザインされた専用のハードウェア回路とすることもできる。
【００１４】
基地局２００にはさらに、セル内の別の通話のキャリアとは別個のキャリアを、通話に、少なくともその逆リンクに対して割り当てるようにプログラム的に構成された専用回路または一般的な回路が含まれる。これは、アクセス・モジュール２０５の機能の一部とすることも、基地局の他のモジュールによって実行させることもできる。一実施形態によれば、アクセス・モジュール２０５は、重複の存在を判定し、またどのキャリアを新しい通話またはハンドオフの逆リンクに割り当てるかを決定し、そして、他のモジュール（割当てを行ない通話またはハンドオフを設定する）に通知する。別の実施形態では、アクセス・モジュール２０５は単に、他のモジュールに、マッチングの存在と、マッチングするロング・コード・マスクを有するサービスされている通話の身元および／またはキャリアとを通知する。さらに別の実施形態では、アクセス・モジュール２０５は、通話またはハンドオフ設定を完全に行なう（異なる逆リンク・キャリアの割当てを含む）。
【００１５】
移動局２１０は、一例として示しており、限定を意味するものではない。前記したように、より一般的には、逆リンク・チャンネルまたは同様のチャンネルを用いてセルの基地局と通信する無線端末局を、本発明を具現化するシステムの一部とすることができる。無線デバイスには、携帯電話、ＰＤＡ、無線ルータ、自動車搭載の無線デバイスなど、無線ネットワークを介して情報を送受信するために加入者／ユーザが用いるものを含めることができる。
【００１６】
図３に示す代替的な実施形態では、図２の無線通信ネットワークに移動局３００が含まれている。移動局３００は、その逆リンク・キャリアの再割当てを基地局２００が行なうことを受信してこれに確認応答するためのモジュール３１０を備える。新しい通話またはハンドオフを移動局２１０に対して設定するときに、移動局２１０のロング・コード・マスクは、基地局２００がサービスするセルにおいてすでに通話している移動局３００のロング・コード・マスクと重複すると、アクセス・モジュール２０５が判定した場合には、基地局２００は、新しい逆リンク・キャリアへの再割当てを移動局３００へ送信して、移動局３００の元の逆リンク・キャリア上で移動局２１０を設定する。移動局３００内のモジュール３１０は、再割り当てされたキャリア（移動局３００が、その進行中の通話を行なう際に、逆リンクに対して用いる）へのスイッチオーバを開始する。モジュール３１０は、再割当てを受信してこれに確認応答するための専用のハードウェア回路を備えることも、そうするようにプログラム的に構成された一般的な演算回路を備えることもできる。スイッチオーバの開始には、セル間の従来の通話ハンドオフのモバイル側の管理において用いる回路構成およびまたはプログラムの指示を利用することを含めることも、同じセルにおいて本明細書で説明したようにキャリア再割当てに対して設計された専用回路またはプログラムの指示を含めることもできる。
【００１７】
セルラー通信ネットワーク内の第２の通話ユーザに別個の逆リンク・キャリアを提供することを、第２の通話のロング・コード・マスクが同じセル内の第１の通話ユーザのロング・コード・マスクと重複するときに行なうことによって、本来は起こる可能性がある干渉、クロス・トーク、および通話切断を回避する新しい方法が提供される。以上、本発明の複数の実施形態を、特定の例を用いて、また特定の識別子および比較ステップについて説明してきたが、これらは例示的なものであって、本発明の範囲を限定することを意味するものではない。本発明は一般に、無線端末局およびデバイスを含むシステムであって、これらが、ロング・コード・マスクまたはその等価物を用いて、セルラー通信システムにおける双方向性のトラフィックの少なくとも１つのチャンネルをエンコードし、これらのトラフィック・チャンネルの割当てに対して複数のキャリアが利用できるシステムに適用されることを、理解することができる。
【図面の簡単な説明】
【００１８】
【図１】本発明の一実施形態を示すフローチャートである。
【図２】本発明の実施形態による無線セルラー通信ネットワークを示すダイアグラムである。
【図３】本発明の代替的な実施形態による無線セルラー通信ネットワークを示すダイアグラムである。
【図１】
2009519631.tif 000003
【図２】
2009519631.tif 000004
【図３】
2009519631.tif 000005
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
無線通信ネットワークの２人のユーザ間の干渉を緩和するための方法であって、
前記ネットワークの電気通信セルにおける第１のユーザの第１の一意な識別子を検出するステップと、
前記セルにおける第２のユーザの第２の一意な識別子を検出するステップと、
前記第１の一意な識別子および前記第２の一意な識別子がマッチングするか否かを判定するステップと、
前記第２のユーザの少なくとも１つのチャンネルを、前記第１のユーザに割り当てたキャリアとは異なるキャリアに割り当てるステップと
を備える方法。
【請求項２】
前記第１の一意な識別子がロング・コード・マスクを決定する、請求項１に記載の方法。
【請求項３】
前記第１の一意な識別子にはロング・コード・マスクと、電子シリアル番号（ＥＳＮ）と、モバイル装置識別番号（ＭＥＩＤ）からの導出物とのいずれか１つが含まれる、請求項２に記載の方法。
【請求項４】
第２の一意な識別子を検出する前記ステップには、前記第２のユーザに対する通話設定または通話ハンドオフの少なくとも片方の間に前記第２の一意な識別子を検出することが含まれる、請求項１に記載の方法。
【請求項５】
処理プラットフォームを備える符号分割多元接続（ＣＤＭＡ）無線通信装置であって、
セルラー・ネットワークにおけるセルにアクセスする第１の無線局が、前記セルにおいてサービスされる第２の無線局に合致する一意な識別子を有するか否かを判定すること、
前記一意な識別子が第２の無線局と合致すると判定することに応答して、前記第１の無線局に対する少なくとも１つのチャンネルを、前記第２の無線局のキャリアとは異なるキャリアに割り当てること
を行なうように構成および配置される処理プラットフォームを備える、無線通信装置。
【請求項６】
前記処理プラットフォームが、
前記セルにおいてサービスされている無線局の前記一意な識別子を記憶するためのデータ・ストアと、
前記第１の無線局から受信される一意な識別子と前記データ・ストアに記憶される前記第２の無線局の一意な識別子とが合致していることを判定するための手段と
を含む、請求項５に記載の装置。
【請求項７】
一意な識別子が第２の無線局の一意な識別子にマッチングするという判定に応答して、前記処理プラットフォームが、前記第１の無線局に対するチャンネルを前記第２の無線局のキャリアとは異なるキャリアに割り当てるための手段をさらに備える、請求項６に記載の装置。
【請求項８】
処理プラットフォームが、前記第１の無線局に対する前記セル内への通話ハンドオフの間の合致が生じるか否かを判定するようにさらに構成および配置される、請求項５に記載の装置。
【請求項９】
符号分割多元接続（ＣＤＭＡ）移動通信ネットワークで用いる移動局であって、
セルラー基地局から、移動局が前記ネットワークにおけるセル内において重複する識別子を有するという表示を受信するための手段と、
受信手段が前記表示を受信することに応答して、前記セル内において代替的なキャリアを選択することを容易にするための手段と
を備える、移動局。
【請求項１０】
代替的なキャリアの選択を容易にするための前記手段が、前記基地局が割り当てる当初のキャリアから、前記基地局が割り当てる代替的なキャリアへの切替を開始するように配置される、請求項９に記載の移動局。